(57)【要約】【課題】ディスクカートリッジにおいて、可撓性を有するディスク状の情報記録媒体をセンターコアに固定する際に情報記録媒体の外周側にあるデータ領域に歪みが発生するのを防止する。【解決手段】情報記録媒体５が接着部材１１を用いてセンターコア１０の上面１０ａに固定される際、接着部材１１が情報記録媒体５の中心部を上面１０ａの一部のみに接着させる。【選択図】  図３
2004342251.tif 000002
【特許請求の範囲】
【請求項１】
扁平なハウジング内に、接着部材を用いて中心部がセンターコアの上面に固定された可撓性を有するディスク状の情報記録媒体を回転自在に収容してなるディスクカートリッジにおいて、
前記接着部材が、前記情報記録媒体の中心部を前記上面の一部にのみ接着させるものであることを特徴とするディスクカートリッジ。
【請求項２】
前記接着部材が、前記上面の異なる部位に複数設けられていることを特徴とする請求項１に記載のディスクカートリッジ。
【請求項３】
前記接着部材が、前記情報記録媒体の中心に対して対称になるようなパターンを有するものであることを特徴とする請求項２に記載のディスクカートリッジ。
【請求項４】
前記接着部材が、前記情報記録媒体の径方向に向かって延びた帯が円周方向に等間隔に配列されたパターンを有するものであることを特徴とする請求項２に記載のディスクカートリッジ。
【請求項５】
前記接着部材が、前記上面の略全面に貼り付けられた多孔性を有する両面テープからなるものであることを特徴とする請求項１に記載のディスクカートリッジ。
【発明の詳細な説明】
【０００１】
【発明の属する技術分野】
本発明は、可撓性を有するディスク状の情報記録媒体を備えたディスクカートリッジに関するものであり、特に、センターコアに接着部材を用いて固定される情報記録媒体の構造に関するものである。
【０００２】
【従来の技術】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている（たとえば特許文献１、２参照。）。このディスクカートリッジは、たとえば幅５０ｍｍ、奥行き５５ｍｍ、厚さ１．９５ｍｍの扁平な金属薄板からなる上下シェルを備えたハウジング内に、４０ＭＢの記憶容量を有する直径約１．８インチ（４６．５ｍｍ）の磁気ディスクからなる情報記録媒体を回転自在に収容したものである。
【０００３】
上述した磁気ディスクのような情報記録媒体は、たとえばプラスチックフィルムに磁性材を塗布したものであり、可撓性を有するものである。このような情報記録媒体は、中心部が金属等からなるセンターコアに固定された状態においてハウジング内に収容されており、ディスクドライブはセンターコアを回転させることにより、情報記録媒体を回転させるようになっている。
【０００４】
ここで、情報記録媒体は、回転軸に垂直なセンターコアの上面にたとえばアクリル系の接着剤を塗布しもしくはポリエチレンテレフタレートを基材とした両面テープを略全面に貼り付けた後、その接着剤等の上に情報記録媒体を貼り付けることにより、センターコアに固定されている。
【０００５】
【特許文献１】
米国特許第６１３３５４４号明細書
【０００６】
【特許文献２】
米国特許第５９９５３４６号明細書
【０００７】
【発明が解決しようとする課題】
しかし、このようなディスクカートリッジでは、情報記録媒体がセンターコアに貼り付けられる際に、可撓性を有する情報記録媒体において歪みが生じ、面振れ特性が劣化する等のメディア特性の低下を生じてしまうという問題がある。これは、センターコアに接着剤等を設ける際にセンターコアと接着剤等との間に気泡が混入し、この気泡により情報記録媒体が貼り付けられる接着剤等の表面には凹凸が形成されてしまうことが考えられる。凹凸を有する接着剤等の上に情報記録媒体を貼り付けたとき、情報記録媒体の上面の領域内において歪みが発生し、この歪みが情報記録媒体のセンターコアの上面内の領域から外周側のデータ領域に向かって伝播してしまうためであると考えられる。
【０００８】
そこで、本発明は、可撓性を有する情報記録媒体をセンターコアに固定する際に、情報記録媒体のデータ領域に歪みが発生するのを防止することができる情報記録媒体を提供することを目的とするものである。
【０００９】
【課題を解決するための手段】
本発明のディスクカートリッジは、扁平なハウジング内に、接着部材を用いて中心部がセンターコアの上面に固定された可撓性を有するディスク状の情報記録媒体を回転自在に収容してなるディスクカートリッジにおいて、接着部材が、情報記録媒体の中心部を        上面の一部にのみ接着させるものであることを特徴とするものである。
【００１０】
ここで、「接着部材」は、情報記録媒体の中心部を上面の一部にのみ接着させるものであればなんでもよく、たとえば上面の異なる部位に複数設けられた接着剤もしくは両面テープであってもよいし、上面の略全面に貼り付けられた多孔性の両面テープからなり、両面テープの孔の部分を除いた粘着部分において情報記録媒体の中心部を上面の一部のみに接着させるものであってもよい。
【００１１】
なお、「接着部材」は、上面の異なる部位に複数設けられたものであればそのパターンは問わず、たとえば上面の中心部に対して対称になるようなパターンを有するものであってもよいし、上面の径方向に向かって延びた帯が円周方向に等間隔に配列されたパターンを有するものであってもよい。
【００１２】
【発明の効果】
本発明のディスクカートリッジによれば、情報記録媒体の中心部を上面の一部のみに接着するものであることにより、貼付面積の減少に伴い情報記録媒体の中心部において発生する歪み量を減少させることができるため、情報記録媒体の外方に歪みが伝播することによるメディア特性の低下を低減することができる。
【００１３】
なお、接着部材が、上面の異なる部位に複数設けた構成にすれば、センターコアと情報記録媒体との貼付箇所を分離することにより、歪みが発生しても伝播する面積を少なくすることができるため、情報記録媒体全体の歪みを減少させることができる。
【００１４】
また、接着部材が、情報記録媒体の中心部に対して対称になるようなパターンを有するものであれば、情報記録媒体が回転した際の回転バランスを安定させることができる。
【００１５】
さらに、接着部材が、情報記録媒体の径方向に向かって延びた帯が円周方向に等間隔に配列されたパターンを有するものであれば、情報記録媒体が回転した際の回転バランスを安定させることができる。
【００１６】
また、接着部材が、上面の略全面に貼り付けられた多孔性を有する両面テープからなる構成にすれば、上面と接着部材との間に生じた気泡が両面テープから除去されることにより、貼付強度を確保しつつ情報記録媒体の上面の領域内に歪みが発生するのを防止し、情報記録媒体の外方に歪みが伝播することによるメディア特性の低下を防止することができる。
【００１７】
【発明の実施の形態】
以下、本発明のディスクカートリッジの実施の形態について、図面を参照して詳細に説明する。図１と図２は本発明のディスクカートリッジが用いられるディスクカートリッジの一例を示す図である。なお、図１（ａ）、（ｂ）、（ｃ）にそのロータリシャッター７が閉状態にある平面図、側面図および底面図を、図２（ａ）、（ｂ）にロータリシャッター７が開状態にある平面図および底面図をそれぞれ示している。
【００１８】
このディスクカートリッジ１は、押込み部２ａを含む樹脂製の通常スタビライザと呼ばれるフレーム２と、金属薄板からなる上下シェル３、４とによって構成された、幅５０ｍｍ、奥行き５５ｍｍ、厚さ１．９５ｍｍの扁平なハウジング内に、４０ＭＢの記憶容量を有する直径約１．８インチ（４６．５ｍｍ）のディスク状の情報記録媒体５を回転自在に収容したものである。
【００１９】
また、ハウジングは、ディスクドライブの磁気ヘッドを情報記録媒体５の表面にアクセスさせるためのＶ字状の開口部６と、この開口部６を開閉するためのロータリシャッター７とを備えている。そして、ディスクドライブが情報記録媒体５に対して情報の記録再生を行うときには、ロータリシャッター７が開き、開口部６から磁気ヘッドが挿入されるようになっている。一方、ディスクドライブから取り出されたときに開口部６から埃等が入り込まないようにするため、ロータリシャッター７が閉じて開口部６を塞ぐようになっている。
【００２０】
さらに、ハウジングの下シェル４には、情報記録媒体５のセンターコア１０を外部に臨ませる円形の中心孔４ａと、ロータリシャッター７と同心的な円弧状溝４ｂとが形成され、ロータリシャッター７には、上記円弧状溝４ｂから突出し、かつこの円弧状溝４ｂに沿って移動してロータリシャッター７を開閉するシャッタノブ７ｂが固設されている。そして、ディスクカートリッジ１がディスクドライブに装填されたときに、ディスクドライブの回転駆動源が中心孔４ａから露出したセンターコア１０を保持し、情報記録媒体５を回転駆動させるようになっている。
【００２１】
図３は本発明のディスクカートリッジにおけるセンターコア１０の周辺部位を示す模式図である。なお、図３（ａ）はセンターコア１０の周辺部位の断面図、図３（ｂ）はセンターコア１０の周辺部位の上面図を示している。図３において情報記録媒体５は、たとえばプラスチックフィルムに磁性材を塗布した磁気ディスクであって可撓性を有している。この情報記録媒体５は、たとえばアクリル系の接着剤や、ポリエチレンテレフタレート（ＰＥＴ）や不織布を基材とする両面テープ等の接着部材１１を用いて、情報記録媒体５の中心ＣＬがセンターコア１０の回転軸に合うように、センターコア１０に固定されている。
【００２２】
ここで、図３（ｂ）において、接着部材１１は、上面１０ａの一部にのみ設けられており、接着部材１１が設けられた部位において情報記録媒体５が上面１０ａに対して固定されている。具体的には、接着部材１１は上面１０ａの点状に４つ設けられており、この４点において情報記録媒体５が上面１０ａに接着されている。このように、上面１０ａの略全面にわたり接着部材１１を設けるのではなく、上面１０ａの一部に接着部材１１を設けることにより、上面１０ａと接着部材１１との間に生じる気泡の数を少なくすることができるため、上面１０ａに情報記録媒体５を貼り付けた際、情報記録媒体５に生じる歪みの発生を低減することができ、メディア特性の低下を低減することができる。つまり、従来においてセンターコア１０と接着部材１１との間に混入した気泡により、情報記録媒体５の上面の領域内において歪みが生じている。そして、図４に示すように、この歪みは上面１０ａの領域内のみならず外方にあるデータ領域にまで伝播し、情報記録媒体５のデータ領域まで歪みが発生してしまう。一方、図３（ｂ）に示すように接着部材１１を上面１０ａの一部に設けて貼付面積を減少させることにより、歪みの発生量を減少させることができるため、メディア特性の低下を低減させることができる。
【００２３】
また、図３（ｂ）に示すように、接着部材１１を中心部ＣＬに対して対称になるように設けることにより、情報記録媒体５が回転した際の回転バランスを安定させることができる。さらに、接着部材１１が、上面１０ａの異なる部位に複数設けられているため、貼付部位において歪みが発生したとしてもその歪みが伝播する面積を小さくすることができ、情報記録媒体５全体の歪み量を減少させることができる。なお、接着部材１１として従来と同一の材料を使用しながら歪みの発生を低減することができるため、小さな投資で品質改善が可能となる。
【００２４】
なお、図３（ｂ）において、接着部材１１が点状に設けられている場合について例示しているが、図４に示すような様々なパターンを有するものであってもよい。具体的には図５（ａ）に示すように、接着部材１１が、上面１０ａの一部に設けられたものであり、情報記録媒体５の径方向に向かって延びた帯が円周方向に等間隔に配列されたパターンを有するものであってもよい。さらに、図５（ｂ）に示すように、接着部材１１の帯の形状が、内周側から外方に向かって先細りになるような幅を有するようにしてもよい。
【００２５】
また、図５（ｃ）に示すように、接着部材１１が接着部材１１を中心部ＣＬに対して対称になるような略４角形の線状のパターンを形成するように設けられていてもよい。さらに、略４角形の場合のみならず、略３角形、略６角形等のような多角形の線状のパターンであってもよいし、略円形の線状のパターンであってもよい。
【００２６】
図６は本発明のディスクカートリッジの別の実施の形態を示す模式図であり、図６を参照してディスクカートリッジ５０について説明する。なお、図６のディスクカートリッジにおいて図３のディスクカートリッジ１と同一の構成を有する部位には同一の符号を付してその説明を省略する。
【００２７】
図６のディスクカートリッジ５０において、接着部材５１は多孔性の基材５１ａの両面に多孔性の粘着剤５１ｂを塗布した両面テープからなっている。具体的には、基材５１ａはたとえばポリウレタン発泡体（たとえばイノアック社製ポロン（厚み０．５ｍｍ））等のような通気性のよい材料からなっており、粘着剤５１ｂはたとえばアクリル系粘着剤、シリコン系粘着剤等からなっている。さらに、この両面テープの厚さは３０μｍ〜１５０μｍ、好ましくは２０μｍ〜１００μｍであることが望ましく、これらの条件を満たす両面テープとしてたとえばＴｅｓａ社製Ｔｅｓａ４９８３（厚み３０μｍ）が挙げられる。
【００２８】
よって、接着部材５１は、粘着剤５１ｂの表面に形成された孔以外の粘着部分、つまり上面の一部に情報記録媒体５を接着させていることになる。そして、上面１０ａに接着部材５１を設ける際、センターコア１０と接着部材５１との間に気泡が生じたとしても、接着部材５１が多孔性の材料からなっているため、気泡が接着部材５１から抜けて、接着部材５１の情報記録媒体５側の接着面に気泡による凹凸が発生するのを防止することができる。また、接着部材１１を上面１０ａの全面に設けることができるため、センターコア１０に対する情報記録媒体５の取付強度を確保しながら、情報記録媒体５の歪みの発生を防止することができる。
【００２９】
上記実施の形態によれば、接着部材１１が上面１０ａの一部にのみ情報記録媒体５を接着させるものであるため、貼付面積の減少により上面１０ａと接着部材１１との間に生じる気泡による歪み発生量を減少させることができるため、情報記録媒体５の外方に歪みが伝播することによるメディア特性の低下を低減することができる。
【００３０】
また、接着部材１１が、情報記録媒体５の中心に対して対称になるようなパターンを有するものであれば（図３（ｂ）、図５（ｃ）参照）、情報記録媒体５が回転した際の回転バランスを安定させることができる。
【００３１】
さらに、接着部材１１が、情報記録媒体５の径方向に向かって延びた帯が円周方向に等間隔に配列されたパターンを有するものであれば（図４（ａ）、（ｂ）参照）、情報記録媒体５が回転した際の回転バランスを安定させることができる。
【００３２】
また、図６に示すように、接着部材５１が、多孔性を有する両面テープからなる構成にすれば、上面１０ａと接着部材５１との間に気泡が発生するのを防止することができるため、接着強度を確保しつつ、情報記録媒体５の外方に歪みが伝播することによるメディア特性の低下を低減することができる。
【００３３】
なお、本発明の実施の形態は上記実施の形態に限定されない。たとえば、図３と図４において、所定のパターンにより接着剤もしくは両面テープが上面１０ａ上に設けられる場合について言及しているが、図３もしくは図４に示すようなパターンからなる粘着剤５１ｂを基材５１ａの両面に塗布した両面テープを用いて情報記録媒体５を上面１０ａ上に固定するようにしてもよい。
【図面の簡単な説明】
【図１】本発明のディスクカートリッジの好ましい実施の形態におけるロータリシャッターが閉状態にある状態を示す平面図および底面図
【図２】本発明のディスクカートリッジの好ましい実施の形態におけるロータリシャッターが開状態にある状態を示す平面図および底面図
【図３】本発明のディスクカートリッジにおける情報記録媒体を示す模式図
【図４】可撓性を有する情報記録媒体において歪みが外周側に伝播する様子を示す模式図
【図５】本発明のディスクカートリッジにおける接着部材のパターンの別の形態を示す平面図
【図６】本発明のディスクカートリッジの別の実施の形態を示す模式図
【符号の説明】
１、５０      ディスクカートリッジ
３    上シェル
４    下シェル
５    情報記録媒体
７    ロータリシャッター
１０  センターコア
１０ａ上面
１１、５１    接着部材
【図１】
2004342251.tif 000003
【図２】
2004342251.tif 000004
【図３】
2004342251.tif 000005
【図４】
2004342251.tif 000006
【図５】
2004342251.tif 000007
【図６】
2004342251.tif 000008